(57)【要約】本発明に係るスポーツボードフィン取付アセンブリ（１０）は、筐体（２０）を構成するためにソケット（１６）の空洞内に挿入されるプラグ（１８）を含む。筐体（２０）は、スポーツボード（１０４）の底面内に埋め込まれ、筐体（２０）の頂面がスポーツボード（１０４）の底面と同一面をなすようになる。筐体（２０）は、頂壁を通じて空洞に連通するように延在するタグスロットを備えている。プラグ（１８）は、タグスロットと直交するとともに空洞に連通するピンスロット（３８）を形成するクランプ（２８）を有する。本アセンブリは、フィン（１２）と、フィン（１２）の基部に取り外し可能に取り付けられたタグ（１４）とを有する。傾斜頂面を有する交換タグ（１４）を、フィン（１２）に取り付けて利用することが出来る。この傾斜頂面は、フィン（１２）を所定角度に傾斜させる。タグピン（５６）はタグの側壁から外側に突出している。タグ（１４）がタグスロットを通じて空洞内に移動されると、タグピン（５６）がピンスロット（３８）に入る。ピン（５６）がピンスロット（３８）に入ると、タグ（１４）及び取り付けられたフィン（１２）は選択した位置に向かって縦方向に移動できる。その後、クランプ（２８）に力を与え、ピン（５６）をピンスロット（３８）内に拘束し、それによって、タグ（１４）（および取り付けられたフィン（１２））をスポーツボード（１０４）に固定するために頂壁のグラブネジ（１９）が用いられる。
2005526664.tif 000002
【特許請求の範囲】
【請求項１】
底面を有するフィン本体と；前記フィン本体に連結される連結手段とを備え、前記連結手段は前記底面に隣接するようになっている、スポーツボード（１０４）に取り付けるフィン（１２）。
【請求項２】
前記フィン本体は、フィン長手方向軸を有し、前記連結手段は前記フィン長手方向軸と実質的に平行をなす長手方向軸を有する、請求項１記載のフィン。
【請求項３】
前記連結手段は、少なくとも一本のレールが連結された、前記底面から下方に張り出す少なくとも一つのフランジを備えており、前記レールは前記フランジから自由末端部まで延在されている、請求項１または２記載のフィン。
【請求項４】
前記連結手段に取り付けられる少なくとも一つのタグを含む、請求項１、２または３記載のフィン。
【請求項５】
前記タグは、対応する前記フィンの底面と合わさる頂面を有する、請求項４記載のフィン。
【請求項６】
前記スポーツボードは少なくとも一つの筐体を有し、前記筐体は、前記タグを前記筐体に連結するための筐体取付手段を有する、請求項４または５記載のフィン。
【請求項７】
前記タグは少なくとも一つのピンを有しており、前記筐体取付手段は、前記ピンが挿入される細長状のスロットを有する少なくとも一つのクランプを有している、請求項６記載のフィン。
【請求項８】
前記スロットは、前記ピンを前記スロット内の所定位置に固定するための摩擦係合手段を含む、請求項７記載のフィン。
【請求項９】
前記筐体は、前記スロット内における前記ピンの位置を表示するための、視認可能な位置決め手段を含む、請求項６、７または８記載のフィン。
【請求項１０】
前記フィンの底面は平坦面とされ、前記頂面は前記平坦面に対して傾斜されている、請求項１〜９のいずれか１項に記載のフィン。
【請求項１１】
空洞を形成する側壁、および前記空洞の上を覆う頂壁を有するソケット（１６）と；
前記頂壁を通り延在するタグスロットと；
前記空洞内に延在し、クランプ（２８）が張り出す基部を有するプラグ（１８）とを備え、
前記クランプは前記タグスロットを通して出入り可能なピンスロット（３８）を有している、
フィン（１２）をスポーツボード（１０４）に連結するための筐体（２０）。
【請求項１２】
前記ソケットに取り付けられた、前記クランプに力を与える駆動手段を含む、請求項１１記載の筐体。
【請求項１３】
頂面を定める、対向する第１及び第２の側壁および対向する端壁を有するタグ本体と、前記側壁から外側に突出する少なくとも一つのタグピン（５６）とを備えた、フィンをスポーツボードに相互連結するためのタグ（１４）。
【請求項１４】
前記頂面において延在する少なくとも一つのガイドチャンネルを含む、請求項１３記載のタグ。
【請求項１５】
前記ガイドチャンネルが、前記対向する端壁間に延在しており且つ前記端壁の少なくとも一方に開口している。請求項１４記載のタグ。
【請求項１６】
スポーツボードの筐体に対して取り外し可能に固定されるタグ（１４）に連結されるフィン（１２）であって、
フィン（１２）はタグ（１４）の連結構造を有し、
前記タグ（１４）は、前記連結構造に係合される取付手段を有し、かつ
前記タグ（１４）は、前記タグを前記筐体に連結するための筐体取付手段を有している、
フィン。
【請求項１７】
前記スポーツボードは底面を有しており、前記タグは、前記フィンを前記底面に対して角度付けるための傾斜手段を有している、請求項１６記載のフィン。
【請求項１８】
前記フィンは底面を有しており、前記タグは頂面を有しており、前記傾斜手段は前記底面および頂面のいずれか一方または両方の傾斜を含む、請求項１７記載のフィン。
【請求項１９】
前記筐体は軸スロットを有しており、前記筐体取付手段は前記軸スロット内に延在する少なくとも一つのタグピンを含む、請求項１６〜１８のいずれか１項に記載のフィン。
【請求項２０】
前記軸スロットは細長状をなしており、かつ前記タグピンを前記スロット内における選択した位置に固定するための摩擦係合手段を有している、請求項１９記載のフィン。
【請求項２１】
前記軸スロットは内面を有しており、前記摩擦係合手段は、前記内面における相隔たる所定位置にノッチを有する、請求項２０記載のフィン。
【請求項２２】
前記軸スロットは可撓性の上側クランプ部及び下側クランプ部を有し、前記筐体は、前駆上側クランプ部を前記下側クランプ部に向かって撓ませる駆動手段を有する、請求項２０または２１記載のフィン。
【請求項２３】
フィン（１２）をスポーツボード（１０４）に搭載するためのアセンブリであって、
前記フィン（１２）はフィン基部を有しており、
前記フィン基部に連結された少なくとも一つのタグ（１４）と、
前記タグ（１４）から突出する少なくとも一つのタグピン（５６）と、
前記スポーツボード（１０４）に固定された少なくとも一つのソケット（１６）とを備えており、
前記ソケット（１６）は空洞および頂壁を有しており、
前記頂壁を通じて前記空洞に連通するように延在する少なくとも一つのタグスロットと、
前記ソケット（１６）の空洞内に延在するプラグ（１８）とを備えており、
前記プラグ（１８）は、前記タグスロットに連通する少なくとも一つのピンスロット（３８）を有しており、
前記タグピン（５６）が前記ピンスロット内に延在するように、前記タグ（１４）が前記ソケット（１６）の空洞内に位置している、
アセンブリ。
【請求項２４】
前記スポーツボードは、凹部が延在する底面を有しており、前記ソケットおよびプラグは前記スポーツボードの凹部内に固定されている、請求項２３記載のアセンブリ。
【請求項２５】
前記スポーツボードはコア及び側端を有しており、前記スポーツボードは、前記側端から前記コアを通じて前記凹部内へ延在する少なくとも一つの横断孔を有している、請求項２３または２４記載のアセンブリ。
【請求項２６】
前記頂壁は複数の直立した表示ペグを含んでいる、請求項２３〜２５のいずれか１項に記載のアセンブリ。
【請求項２７】
前記ピンスロットは、可撓性の上側クランプ部および下側クランプ部により構成され、前記ソケットは、少なくとも前記上側クランプ部を撓ませるための力を与える駆動手段を有している、請求項２３〜２６のいずれか１項に記載のアセンブリ。
【請求項２８】
前記ピンスロットは、前記タグピンを前記上側クランプ部及び下側クランプ部間に開放可能に固定する摩擦係合手段を有している、請求項２７記載のアセンブリ。
【請求項２９】
前記ピンスロットは内面を有しており、前記摩擦係合手段は前記内面に形成されるとともに、ノッチ、リブ、セレーション、くぼみ、凸部または粗面からなる、請求項２８記載のアセンブリ。
【請求項３０】
前記摩擦係合手段は所定のタグピン位置に備え付けられており、前記頂壁は、各所定のタグピン位置の上に一つずつ位置する複数の指形位置表示部材を含んでいる、請求項２８または２９記載のアセンブリ。
【請求項３１】
前記フィンは、前記タグを前記フィン基部に対して取り外し可能に連結する少なくとも一つのフィン連結手段を有している、請求項２３〜３０のいずれか１項に記載のアセンブリ。
【請求項３２】
前記フィン連結手段は、前記フィン基部に少なくとも一本のレールを相互連結する少なくとも一つのフランジを含む、請求項３１記載のアセンブリ。
【請求項３３】
前記タグは、少なくとも一本のチャンネルが延在する頂面を有しており、前記レールが前記チャンネル内へスライド可能なようになっている、請求項３２記載のアセンブリ。
【請求項３４】
前記スポーツボードは、底平面を構成する底面を有しており、前記頂面は前記底平面に対して傾斜している、請求項３３記載のアセンブリ。
【請求項３５】
底面に少なくとも一つのフィン（１２）を有するスポーツボード（１０４）であって、
前記底面内の少なくとも一つの凹部と、
前記スポーツボード（１０４）の凹部に固定された少なくとも一つの筐体とを備えており、
前記筐体は少なくとも一つの空洞を有しており、
前記筐体内には前記空洞に連通する少なくとも一つのピンスロット（３８）が横向きに延在しており、
フィン（１２）の基部から、横向きに延在する少なくとも一つのタグピン（５６）を有する少なくとも一つのタグ（１４）が延在しており、
前記タグ（１４）は前記空洞内に配置されるとともに、前記タグピン（５６）が前記ピンスロット（３８）内に延在している、
スポーツボード。
【請求項３６】
前記ピンスロットは、前記タグピンを前記ピンスロットに取り外し可能に固定する摩擦係合手段を有する、請求項３５記載のスポーツボード。
【請求項３７】
前記ピンスロットは可撓性の複数のクランプ部からなり、前記筐体は前記クランプ部に力を与える駆動手段を有する、請求項３５または３６記載のスポーツボード。
【請求項３８】
前記タグは、連結手段を有する前記フィン基部に対して取り外し可能に連結される、請求項３５〜３７のいずれか１項に記載のスポーツボード。
【請求項３９】
前記連結手段は、前記基部に連結される少なくとも一本のレールを含み、前記タグは、前記レールが内部に延在する少なくとも一本のチャンネルを含む、請求項３８記載のスポーツボード。
【請求項４０】
前記スポーツボードは、底平面を構成する底面を有しており、前記タグは、前記底平面に対して傾斜した頂面を有している、請求項３５〜３９のいずれか１項に記載のスポーツボード。
【請求項４１】
（Ａ）  空洞と、前記空洞に連通するピンスロット（３８）を有する前記空洞内のクランプ（２８）とを有する、筐体を用意するステップと、
（Ｂ）  前記底面に凹部を形成するステップと、
（Ｃ）  前記凹部内に前記筐体を固定するステップと、
（Ｄ）  外側に突出するタグピン（５６）を有するタグ（１４）を用意するステップと、
（Ｅ）  前記タグ（１４）を前記フィン（１２）に取り付けるステップと、
（Ｆ）  前記タグピン（５６）が前記ピンスロット（３８）内に延在するように、前記タグ（１４）を前記空洞内に挿入するステップと、
（Ｇ）  前記タグピン（５６）を前記ピンスロット（３８）内に固定するために、前記クランプ（２８）に力を作用させるステップと、
を含む、スポーツボード（１０４）に対するフィン（１２）の取付方法。
【請求項４２】
ステップ（Ｃ）は、
（i）前記凹部に流体が通じるように連通する少なくとも一つの孔を前記サーフボードに形成するステップと、
（ii）前記孔内及び前記筐体により囲まれた凹部空間内に樹脂化合物を注入するステップと、
（iii）前記樹脂を硬化させるステップと、
を含む、請求項４１記載の方法。
【請求項４３】
前記筐体は複数の表示ペグと樹脂バリヤーが延在する頂壁を有しており、かつ前記頂壁が前記底面と同一面をなすまで前記表示ペグおよび前記樹脂バリヤーを除去するステップをさらに含む。請求項４２記載の方法。
【請求項４４】
前記フィンはレールを有し、前記タグはチャンネルを有し、ステップ（Ｄ）は前記ガイドレールを前記ガイドチャンネル内に挿入するステップを含む、請求項４１〜４３のいずれか１項に記載の方法。
【発明の詳細な説明】
【技術分野】
【０００１】
本発明は、概ね、スポーツボードに対してフィンを調整可能に取り付けるための方法および装置に関する。本発明は、これに限られるものではないが、特に、スポーツボードの性能を最大限に高めるために、スポーツボードに対するフィンの位置を迅速且つ容易に調整可能にするという点で、フィンの取り付けに有用なものである。
【背景技術】
【０００２】
サーフボードやセールボード等のスポーツボードは、娯楽の楽しみを提供するものとして従来から良く知られている。一般に、ボードの底面には、安定性および操縦性を助長するために、一つから四つのフィンが取り付けられている。通常の場合、フィンはボードの底面に永久的に据え付けられている。
【０００３】
しかしながら、ボードにフィンを永久的に据え付けるため、いくつかの不利益がある。具体的には、そのようなフィンは、ダメージを受けたときに、容易に取り外し交換することができない。さらに、そのようなフィンは、異なる性能特性をもつ別のフィンに交換することができない。使用者が恒風や波の状況に応じて異なるフィンの形態を試みることを望むのであれば、これは都合が良い。さらにまた、永久的に取り付けられるフィンは、サーフボードを嵩張らせ、輸送を困難にする。このような理由により、サーフボードに対してフィンを取り外し可能に取り付けることが望まれている。
【０００４】
取り外し可能にすることに加えて、取り付けに際して、ボードに対するフィンの位置を調整することができれば有益である。特に、さまざまな風や波の状況に応じてフィンの抗力を最大化するために、ボード上におけるフィンの縦方向位置を変化させうることが重要である。フィンのロール角、すなわちボードの底面に対するフィンの角度を変化させることができると望ましい。付け加えると、携帯者に何らの不快さも与えないように水着やウェットスーツのポケット内にフィットする小さな工具によって、あるいは手でフィンを調整できることも重要である。
【０００５】
「フィン・アセンブリ」と題する発明に対してBarry A. Jollyらに与えられた米国特許6,139, 383号は、前ソケット及び後ソケットを有する取付装置がサーフボード内に埋め込まれ、予め設計された突起を有するフィンが前ソケット及び後ソケットにそれぞれ挿入され、それらに対してネジ止めされるフィン取付システムを開示する。しかし、Jollyらにより開示された装置においては、ソケットマウント内に、縦方向の移動もしくはフィンアングルの調整を可能にするタグスロットあるいはピンスロットを有しない。
【０００６】
「サーフボードフィン搭載システム」と題する発明に対してBlockらに与えられた米国特許5,997,376号は、サーフボード内に埋め込まれたボックスに調整可能に取り付けられるフィンを開示する（ボックスはサーフボード内に切り込まれた開口に搭載される。）。ボックスは、タグスロットを含むが、ピンスロットは含まないものであり、フィンは、サーフボードの頂部にファスナーを通し、ファスナーをフィンにネジ止めすることにより、サーフボードに対して取り外し可能に固定される。しかし、Blockらにより開示された装置においては、フィンおよびタグは、それらが単一の統合されたユニットであるために多機能性に乏しい。さらに、タグは、縦方向の調整のみが可能な形態でタグスロット内にはめ込まれる。付け加えると、サーフボードを明白に貫通する対称的なボックスを挿入するための見栄えの悪い開口がサーフボードに設置されるため好ましくない。
【０００７】
「サーフフィン固定システム」と題する発明に対してWhittyに与えられた米国特許5,672,081号は、相隔てられた２つのタブがフィンから下方に延在する取り外し可能なフィンを開示する。タブは、サーフボード内に埋めこまれた固定要素のスロット内に挿入され、タブに接触するまで固定要素内に斜めに挿入される位置決めネジによってそれらに固定される。しかし、Whittyは、フィンの縦方向位置またはフィンのロール角を調整するための構造については何ら想定していない。Whittyの主な要点は、フィンの取り外しシステムを提供するだけである。
【発明の開示】
【発明が解決しようとする課題】
【０００８】
以上を考慮し、本発明の課題は、ボードに対してフィンを迅速かつ容易に取り付け及び取り外しできるサーフボードフィン取付システムを提供することにある。本発明の他の課題は、ボードに対するフィンの縦方向位置およびフィンのロール角の両方を調整できるサーフボードフィン取付システムを提供することにある。更に他の本発明の課題は、水着やウェットスーツ内に快適に収納できる小さな道具か、あるいは手で、フィンの縦方向位置およびフィンのロール角の両方を調整できるスポーツボードフィン取付システムを提供することにある。さらにまた別の本発明の課題は、容易に据え付けることができ、十分な耐久性を有するスポーツボードフィン取付アセンブリを提供することにある。別の課題は、高い費用効率で容易に製造できるスポーツボードフィン取付システムを提供することにある。
【課題を解決するための手段】
【０００９】
ここで用いられる用語「スポーツボード」は、サーフボード、ウェイクボード、セールボードおよびボディボード等の、水中で用いられるあらゆるタイプのボードを意味するものである。さらにまた、この用語は、ボート、カヤック、カヌーおよびカタマラン（双胴船）等の、あらゆるタイプの船舶を包含するものである。
【００１０】
本発明のスポーツボードフィン取付システムは、スポーツボードの凹部内にフィットされるフィン係合筺体を含むものである。この筐体は、筐体の長手方向に沿う縦方向に沿って筐体内に延在するタグスロットを含む筐体取付手段を有する。タグスロットは、直行するピンスロットと合体する。これは、同様に筐体内で縦方向に延在する。タグスロットおよびピンスロットは、フィン連結アセンブリを受け入れるためのくり抜き開口を構成する。理想的には、フィン係合筐体は単一の一体構造として成型される。
【００１１】
しかしながら、スポーツボードの製造およびアセンブリを容易にするため、筐体は、プラグおよびソケットパーツの組を備えている。プラグ内にはピンスロットが形成され、一方、ソケット内にはタグスロットが形成されている。プラグおよびソケットパーツは相互に固定されて、筐体構造の全体が構成される。
【００１２】
プラグパーツは、細長のピンスロットが延在するクランプ部を有している。
【００１３】
ピンスロットは、可撓性の上側及び下側クランプ部により構成されている。クランプは摩擦係合手段、特に、セレーション、リブ、くぼみ、粗面、上側クランプ部の複数の上側ノッチおよび対応する下側クランプ部の下側ノッチを有している。
【００１４】
フィンをスポーツボードに固定するために、フィンは下方に突出するタグを含む連結手段を備えており、タグは外側に突出するタグピンを有している。タグがタグスロット内に挿入されたときに、タグは同時にピンスロットに挿入される。駆動手段によって、上側クランプ部は下側クランプ部に強制的に近づけられ、上側ノッチの一つ及び下側ノッチの一つにピンが係合され、タグがタグスロット内に保持される。
【００１５】
駆動手段はカム機構、ステムボルト及びナット、あるいはここで示されるグラブネジにより構成できる。グラブネジは、プラグがソケット内に挿入されたときに上側クランプ部に隣接するソケットのグラブネジ孔に螺合される。グラブ螺子が回転されるにつれて、ネジ部分はグラブネジ孔を通過し、上側クランプ部に接触する。グラブネジをさらに締め付けることによって、タグピンの固定について説明したように、上側クランプ部上に、上側クランプ部を下側クランプ部に強制的に近づける力が与えられる。
【００１６】
フィンの長手方向位置を調整するためには、上側及び下側クランプ部をタグピンから離間させタグピンが解放されるまで、グラブネジを緩める。次いで、上側及び下側ノッチのそれぞれによって定まる所定の位置のいずれか一箇所に、フィンが前後移動される（上側ノッチおよび下側ノッチがピンに係合しているかを使用者が判断できるように、表示指形片のような、対応するピン位置決め手段をソケットに形成することができる。）。次いで、前述のとおりタグピンに係合され、フィンがスポーツボードに固定されるように、グラブネジは再び締め付けられる。
【００１７】
スポーツボードに対してフィンを係合するための筐体を固定するために、スポーツボードの底面に凹部が形成される。次いで、ボードの側端から凹部に交わるまでスポーツボードコア内へ延在する横断孔が少なくとも一つ形成される。アウトリガーによって筐体が凹部内に配置され、そして凹部内に樹脂が注入される。樹脂、凹部における筐体により占められる部分を除く部分、ならびに横断孔が樹脂により満たされる。樹脂が硬化したならば、筐体はボードに固定される。横断孔内の硬化樹脂はアセンブリ全体を強化する。硬化後、筐体の外面がボードの底面に対して平滑になり且つ同一面をなすように、余剰樹脂がやすりにより除去される。
【００１８】
さらに、本発明のアセンブリは、フィンをスポーツボード底面に対して角度付けるための傾斜手段を有する。これは、前述のタグをフィン及び筐体から取り外し可能とすることにより達成される。タグは、好適には、第１及び第２側壁ならびに対向する端壁を有する中実の多角形構造とされる。それは、タグ取付手段を有する頂面を有しており、タグ取付手段は、上面内に延在し且つタグの長手方向の少なくとも一部に沿う縦ガイドチャンネルにより構成されている。タグの頂面は、対応するフィンの基部下側の底面と合わさるようになっている。
【００１９】
フィン基部の底面は、長手方向に沿うガイドレールからなるフィン連結構造を備えており、ガイドレールは、ガイドチャンネルの直径に一致する円状の横断面形状を有する。取付に際しては、ガイドレールがタグのガイドチャンネル内に挿入され、ガイドレールの端部に近接する停止手段にタグが接するまで移動される。多様なフィンのロール角度を得るために、選択された角度で傾斜された頂面を有する交換用のタグが提供される。傾斜頂面がフィン底面に係合されたとき、フィンは、タグ頂面の傾斜角度に対する余角角度をもって配される。
【００２０】
本発明の好適な形態は、添付の説明と合わせ、添付図面に基づいて良く理解されるだろう。
【発明を実施するための最良の形態】
【００２１】
図面を参照すると、本発明のフィン取付システムが示されており、全体に符号１０により示されている。ここでは、サーフボードを参照して本発明の説明を行うが、用語「サーフボード」はあらゆるタイプの船舶およびスポーツボードとして理解されるものである。
【００２２】
概要としては、本システムは、フィン１２とフィンの下面に対して選択的に取付／取外しが可能なタグ１４とを備えている。本システムは、協働してフィン係合筐体を構成するソケット１６およびプラグ１８を含む。筐体は、サーフボード１０４内に埋め込まれており、タグおよびフィン（タグに取り付けられている場合）がサーフボードに固定されるように（図１４参照）、タグを受け入れる。以下でより詳細に説明されるように、タグを拘束するための力をプラグに作用させるために、グラブネジ１９およびグラブネジを回すための六角キー２１として示された用具が使用される。
【００２３】
いま、先ず図１を参照すると、フィンは、通常平坦な底面４５を有するフィンの基部４４に合体された背部分４２を有する。外形がほぼベル状をなすように、隅肉部４６が基部の外周を回るように延在している。隅肉部は、サーフボードの操縦中における背部分に対する法線方向の力に対してフィンを補強する。フランジ５２は、フィンの底面４５の中央部にはフランジ５２が下向きに延在している。フランジ５２に対して近位端には縦レール４８が固定され、反対側の自由端４９まで延在されている。レールは、底面４５とタグの上面５４とが合わさるのに十分な距離、フィンの底面からずらされる。ここでは、一つのフランジを図示し、説明しているが、フィンとレールとの連結を強化するために、二つ若しくはそれ以上のフランジ、あるいはレールの位置に沿って延在する延長フランジを用いることもできる。
【００２４】
レールは、フィンの長軸に揃えられ、フィンの半分未満の長さであるのが好ましい。レールは円形断面を有しており、タグ１４のガイドチャンネル５６に回転可能かつスライド可能に係合される。レールは、タグガイドチャンネル５６に対する摩擦による係合を強めるための、外側に張り出すリブを間隔を空けて複数有する。
【００２５】
前述の取外し可能なタグは、前側壁５５および後側壁５３を有する中実のブロック状構造を有する。これは対向する端壁を有し、これらにより長さが規定される。その長さは、好ましくは、少なくともレール４８の半分の長さとされる。タグは頂面５４を有し、これは好適には、対応するフィン底面４５の平坦部分と合わさるように平坦とされる。
【００２６】
頂面５４内で下側に延在するのがガイドチャンネル５６である。ガイドチャンネルは、レールの横断面に略等しい横断面を有し、パーツ間がフィットした状態で並進運動させることができる。チャンネルは、レール４８とフィン底面４５との離間距離に一致する所定距離だけ、頂面５４よりも下に位置される。このようにして、前述のフィン底面４５の対応部分とタグ頂面５４とを密に合わせることができる。
【００２７】
タグの前側壁５５は、下側中央部の側壁から外側に張り出すタグピン５６を有する。タグピンは、以下に説明する形態でピンスロット３８に係合するのに十分な長さおよび外形を有する。
【００２８】
タグをフィンに組み付けるために、レール４８の自由端部４９がガイドチャンネル５６の後端部開口に挿入される。タグは、フランジ５２として示されるストップ手段に当接するまでレールに沿ってスライドされる。横断するピンや、ペグ、リブ、リングおよび突起等、他の当接構造を採用することも可能である。ガイドレール上に図示された環状リブ５０によって、チャンネルとレールとの間の摩擦による係合が強められ、タグがフィンに対して堅固に固定される。
【００２９】
前述のとおり、タグの頂面５４は、類似するフィンの平坦な底面４５と同一平面内で合わさるように、平坦にすることができる。同様に、いずれか一方または両方の表面が傾斜している場合、フィンはボード底面に対して傾くようになる。図１１では、フィンの底面はフィンの縦軸に対して直交しており、タグの頂面はボードの底面に対して平行をなしている。この結果、フィンはボード底面に対して直交するように配されている。
【００３０】
この代わりに、図１２に示されるように、タグピンを有する一方側５５の最高高さｈ１から反対のタグ後側壁５３の最低高さｈ２まで高さが連続的に低下するように、幅を横切る方向にタグ１４’の頂面を傾斜させることができる。傾斜タグがフィンに連結されたならば、次いでタグは以下に説明するようにサーフボードに挿入され、最終的な結果として、図１４に示されるように底面から角度Ｐで延在するフィンとなる。当然のことながら、そのような角度位置を達成するためには、レール４８がチャンネル５６内で時計の針と反対周りに回転される。
【００３１】
反対に、前側壁５５の最低高さｈ１から反対の後側壁５３の最高高さｈ２まで高さを連続的に増加させるように、タグ上面を傾斜させることができる（図１３のタグ１４”を参照）。この形態により、図１４に示される傾斜フィン１２ｂが構成される。
【００３２】
したがって、取り外し可能なタグ・サブアセンブリ（部分組立品）によって、傾斜フィンの配置の選択における融通性に優れるようになる。言い方を変えれば、取り外し可能なタグ・サブアセンブリによって、使用者が望むサーフボード性能の向上のために使用者がフィンのロール角度を選択することが可能になる。また、当然のことながら、鉛直方向に対する角度は、図１１−１３に示されるフィン・タグの組み合わせによって達成されるが、それは本発明が想定するより広い角度ｐの範囲を意味し、限定されるものではない。
【００３３】
筐体２０は、プラグ構造体１８および周囲ソケット１６を組み合わせて備えている。プラグは、所定の基部周縁を有する板状の基部２２を含む。基部の上には、基部周縁から内方に離間する挿入周囲部を有する基部隆起部２４が配されている。挿入周囲部と基部周縁との間の領域は肩部２６をなしている。
【００３４】
クランプ２８は、基部隆起部から上方に張り出している。図示されるように、クランプは、細長の中実構造体であり、タグ１４に対する調節可能なクランプ手段をなすように形成されているものである。それは、対向する端部３０ａ，３０ｂを有しており、これらは、各端部の外面からそれぞれ外方に突出する隆線部４０ａ，４０ｂを有している。隆線部は、以下に説明されるようにプラグが空洞に挿入されたときに、摩擦によってソケット１６のソケット内部空洞４１（図３参照）と係合する。
【００３５】
さらに、クランプ２８は上側クランプ部３２と下側クランプ部３４とを含んでおり、これらは端部３０ａ，３０ｂ間に位置され、それぞれトラス３６ａ，３６ｂを介して端部に連結されている。上側クランプ部３２及び下側クランプ部３４は、前述のタグピン５８を受け入れるピンスロット３８を構成する。ピンスロットの内部表面は、離間し且つ対応する複数の上側ノッチ６０及び下側ノッチ６２として図示される摩擦係合手段を備えている。ノッチは、タグピン５８の外表面部分と噛み合うサイズを有する弓状の凹みを含む。
【００３６】
離間するピンチャンネル５９ａ，５９ｂが、ピンスロット３８の対向する両端部に最も近い位置に形成されている。タグピンが上側クランプ部を通りピンスロット内へ通過するのを可能にするため、ピンチャンネルはピンスロットと交差している。一度、スロット内に入ると、ピンは横方向に移動でき、対応する上側ノッチおよび下側ノッチに係合するようになる。
【００３７】
トラス３６ｃ，３６ｂは、それぞれ下側クランプ部の対抗する端部を、基部隆起部２４から離間させて支持する。それによって形成される空間は、下側クランプおよび基部隆起部２４間に補償スロット６４を構成する。補償スロットは、下側クランプ部（付言すれば上側クランプ部についても）を以下に説明するように撓ませることによって、筐体をスポーツボードに取り付ける際のあらゆるやすりのかけ過ぎを吸収する。これによって、取付作業中において、下側クランプ部および上側クランプ部が常にタグピンを強固に締め付けうることが保証される。
【００３８】
ソケット１６は、長楕円形の周縁を有する構造体であり、ソケット空洞４１が延在する開放底部を有する。空洞は周囲を囲む側壁６８によって構成され、空洞の内部はプラグ構造体１８を受け入れるサイズを有する。
【００３９】
空洞は、頂壁６６によって覆われている。頂壁を通じた空洞内への出入りは、タグスロット７０を通じてなされる。タグスロットは細長状をなし、タグ１４の通過が可能なように構成されており、離間する切欠部分７２ａ，７２ｂを含む。タグピン５８がプラグのピンスロット３８内へ自由に通過できるように、各切欠部分はそれぞれピンチャンネル５９ａ，５９ｂと列なっている。
【００４０】
ソケットの略中央部における頂壁６６には、タグスロット７０に隣接し且つ切欠部分７２ａ，７２ｂの間の位置に、ねじ山が形成されたグラブネジ孔７４が形成されている。
【００４１】
仮の樹脂バリヤー壁７６が、タグスロット、切欠部及びグラブネジ孔の周縁に沿って頂壁から上方に延在している。樹脂バリヤーは、アセンブリの取付に際して、空洞内に樹脂が流入するのを防止するものである。
【００４２】
頂壁は、スポーツボードへのアセンブリの取り付け並びに取り付け後における操作を容易にする多様な特徴を有する。特に、いま主に図６−８を参照すると、頂壁６６は、対向する斜面７８ａ，７８ｂを有するように形成されている。斜面はソケットの中心線から側壁６８に向かって上昇するように傾斜しており、図６に示されるように筐体（及びソケット）が水平姿勢とされているときには、それらは水平面に対してある角度をなす。斜面７８ａ，７８ｂによって、取付中におけるソケットの傾斜が許容され、しかもなお依然として、取付後にはサーフボード底面９６と同一面をなす一方の傾斜面を有する（図７参照）。
【００４３】
これは、より極端なフィンのロール角度を望む場合に、使用者に付加的な取付の選択肢を与える。
【００４４】
さらに取り付けを容易にするために、離間する複数の表示ペグ８０が斜面から上方に突出している。このペグは、サーフボードに装置を取り付ける間、余剰樹脂が適切な量除去されているかについての視覚的表示を、取り付け者に与える。軸８４，８４として示される仮のアウトリガーが、ソケットの頂壁６６における対向する各端部に固設されている。アウトリガーは、ソケットの長手方向中心線に沿って列なっており、側壁６８を通過して長手方向外側に延在している。
【００４５】
図２及び図３に示されるように、側壁８６の下側の凹部内には複数の接着溝８６が形成されている。接着溝は、筐体を取り付ける際に樹脂を用いてソケットを凹部９２内に接着するための全体的な表面領域を増加させる。同様に、側壁の端部に最も近い位置に、複数の離間する短いおよび長いソケットノッチ８８及び８９が鉛直方向に沿って延在している。ソケットノッチは、組立の際の樹脂接着のための表面領域を増加させる。
【００４６】
図１及び図２に最も良く示されるように、頂壁６６は、水平方向に離間した配置の複数の指形片８２を含み、これは、タグスロットを挟んでグラブネジ孔７４の反対側に配置されている。指形片は、周囲の樹脂に対して対照的な色を有する。それらは、それぞれソケットクランプ２８の上側ノッチ及び下側ノッチの上に位置され、使用者にピンスロット３８内におけるピン５８の位置決めを可能ならしめる。フィン１２が、挿入された筐体に取り付けられると、指形片は、筐体に対するタグ（及びフィン）の位置を使用者に表示することになる。指形片８２は、それ自体で、使用者によって選択可能な一連のフィンの位置に関する視覚的表示を提供する。
【００４７】
ソケットの側壁６８は、一つまたはそれ以上のくり抜きアンカーリブ９０を含む。
【００４８】
アンカーリブは、ソケット基部９５から頂壁の段差縁部の上部まで鉛直方向に延在している。リブは、凹部９２内における樹脂レベルの視覚的表示を与える。さらに、それらは、筐体２０をサーフボードのコア（芯）１０２に固定するのを助ける機能を果たす。
【００４９】
（取り付け）
サーフボードへの筐体２０の取り付けに先立って、サーフボードの底面９６に凹部９２が形成される。凹部の輪郭は、筐体（アウトリガーを除く）の平面輪郭と厳密に一致する。少なくとも一つ、好適には二つまたはそれ以上の、横断孔９４がサーフボードコア１０２内に形成される。横断孔は、ボードの側転からサーフボードコアを通じてサーフボード凹部９２内へ延在する。
【００５０】
図４に示されるように、孔は凹部を通過してボードの中心線に向かって短距離延在するのが好ましい。硬化樹脂が充填されると、横断孔は筐体を補強し、取り付け後における筐体の外れを防止する。
【００５１】
しかし、当然のことながら、筐体の取り付けは樹脂充填孔なしに達成することができる。また、木、プラスチックもしくは軽合金からなる水平材等の他の横断支持部材を用いることもできる。
【００５２】
筐体を組み立てるためには、プラグにおける基部の肩部２６がソケットの底部に接触するまで、プラグ構造体をソケット空洞４１内に強制的に入れて、ソケット１６をプラグ１８にパチンと嵌め付ける。同様に、隆線部４０ａ，４０ｂがソケット空洞の内面に対して摩擦により係合し、それによってプラグが空洞内に固定される。
【００５３】
プラグとソケットを組み立てて筐体２０を形成した後、筐体はサーフボードの凹部９２内に配置する。したがって、これが達成されるとともに、アウトリガーがボードの底面に載置され、かつ筐体が凹部９２の底面及び側面から離間して浮かぶように、サーフボードの凹部は十分な深さを有していなければならない、これは、図５−８に最も良く示されている。任意であるが、前述したとおり、図７に示されるように、筐体はサーフボードの凹部内に、角度σ傾斜して配置することができる。
【００５４】
筐体が所望のとおりに配置されたならば、樹脂９８が筐体の周囲に注入され、横断孔、全てのノッチ、溝、およびサーフボード凹部における筐体が占めない部分が樹脂により充填される。その後、当技術分野で周知のように、樹脂は所定時間を経て硬化される。樹脂及びソケットは、取り付け及び調整の際に、やすり落とし工程を容易にするため、また指形片８２の視認性を向上させるため、異なる対照的な色を有することができる。
【００５５】
樹脂が硬化した後、ボードの底面は、過剰の樹脂が除去され、頂壁６６の表面がボードの底面９６により定まる面と同一面をなすようになるまで、やすり掛けされる。この過程で、樹脂バリヤー７６、アウトリガー８４および表示ペグ８０は、筐体から除去されるようになる。これは、図９，１０及び１４に最も良く示されている。好適には、やすり掛けの完了時の決定が容易になるように、表示ペグもまた、樹脂と対照的な色に形成される。さもないと、過剰にやすり掛けがなされ、ボードの底面に不必要な窪みが形成される可能性がある。
【００５６】
ボードをやすり掛けしたならば、サーフボード（埋め込まれた筐体を有する）は操作できる状態になる。
【００５７】
（操作）
使用者は、環境条件を考慮し、所望のフィンのロール角度を選択することができる。次いで、彼氏／彼女は、所望のフィンロール角度と対応するように傾斜されたタグを選択する。次いで、選択したタグは、チャンネルの後部開口端５７がフランジ５２に接触するまで、長手方向ガイドチャンネル５６内にレール４８をスライドさせることによって、フィン１２に連結される。
【００５８】
タグがフィンに連結された後、使用者は、タグをタグスロット７２の上に揃える。このとき、タグピン５８は切欠部分７２ａまたは７２ｂのいずれか一方に揃える（切欠部分７２ａを選択すると便利である）。ここで、タグピンを切欠部分７２ａ及びピンチャンネル５９ａを通じてピンスロット３８内へ通過させることによって、タグはタグスロット内へ移動される。
【００５９】
ピン５８がピンスロット３８に挿入されると、使用者はフィン（及びタグ）を、長手方向前または後の、指形片８２により表示される予め定められた数箇所のうちの一つの位置に移動させることができる。言及したように、各指形片はピンスロットの上側ノッチ６０及び下側ノッチ６２の各々と対応している。フィンが所望の長手方向位置に位置したならば、グラブネジ１９をねじ山の形成されたグラブネジ孔７４に入れ、用具２１を用いてネジを上側クランプ部３２に接触するまで回転させる。さらにグラブネジを締めることによって、上側クランプ部に力（力Ｆとして図１０に示されている）が伝達される。この作用によって、上側クランプ部が下側クランプ部に近づくように撓み、それによってタグピンが摩擦力によりピンスロット内に固定される。
【００６０】
ボードにやすりを掛け過ぎた場合には、下側クランプ部３４もまた補償スロット６４内へ基部隆起部２４に隣接するまで撓むことができる。これが対抗力を発生させ、ピンスロット３８内へのタグピン５８の強固な固定をもたらす。
【００６１】
使用者がフィン位置の変更を望む場合には、上側クランプ部３２および下側クランプ部３４がタグピンから離れるまで、グラブネジを緩める。
【００６２】
その後、フィンは、新たな所望の位置に位置するまで前後移動させることができる。しかる後、グラブネジは一連の前述の作用が働くように再度締め付けられる。取り外しに際しては、グラブネジを緩め、ピン５８がピンチャンネル５９ａ及び切欠部分７２ａに揃うまで長手方向に移動させる。その後、フィンは、タグをタグスロットから取り除くように、外部に引き抜くことができる。
【００６３】
ここで図示及び説明した特別のサーフボードフィン取付アセンブリは、完全に目的を達成し、上記の利点をもたらすものであり、この好適な形態は本発明の単なる例証と理解されるものである。そのため当然、添付の請求の範囲により定まるもの以外の限定を意図したものではない。
【図面の簡単な説明】
【００６４】
【図１】図１は、本発明に係るフィン取付システムの左側からの組立分解等角図である。
【図２】図２は、図１のフィン係合筐体の、右側からの組立分解等角図である。
【図３】図３は、図１に示される筐体のソケットの下側内部の等角図である。
【図４】図４は、サーフボードを横断する孔が透視的示された、サーフボードの凹部内にフィットされた図１に示される筐体の平面図である。
【図５】図５は、図４の5-5線に沿う部分断面図である。
【図６】図６は、図４の6-6線に沿う部分断面図である。
【図７】図７は、サーフボード内における筐体の代替設置例を図解する、筐体が傾斜した状態における図６と同様の図である。
【図８】図８は、図４の8-8線に沿う部分断面図である。
【図９】図９は、サーフボードの凹部が樹脂で充填され、設置後に、筐体外表面がサーフボード下面と同平面をなすように、樹脂バリヤーおよび表示ペグがやすりで落とされた状態における、図５と同様の図である。
【図１０】図１０は、サーフボードの凹部が樹脂で充填された状態における、サーフボードタグおよびピンが筐体と協働する様子を図解する、図８と同様の図である。
【図１１】図１１は、タグに対するフィンの垂直取付を示す、横断面の概略端面図である。
【図１２】図１２は、タグの傾斜した上面およびその傾斜角度の余角角度をもって傾斜したフィンを示す図１１と同様の図である。
【図１３】図１３は、異なるタグ傾斜角度およびフィン角度を有する、図１２と同様の図である。
【図１４】図１４は、本発明のタグ、ソケットおよび筐体のシステムにより装着された一対のフィンを示す、サーフボードの後部を横切る横断面図である。
【図１】
2005526664.tif 000003
【図２】
2005526664.tif 000004
【図３】
2005526664.tif 000005
【図４】
2005526664.tif 000006
【図５】
2005526664.tif 000007
2005526664.tif 000008
【図８】
2005526664.tif 000009
【図９】
2005526664.tif 000010
【図１０】
2005526664.tif 000011
【図１１】
2005526664.tif 000012
【図１２】
2005526664.tif 000013
【図１３】
2005526664.tif 000014
【図１４】
2005526664.tif 000015
【手続補正書】
【提出日】平成16年5月17日(2004.5.17)
【手続補正１】
【補正対象書類名】特許請求の範囲
【補正対象項目名】全文
【補正方法】変更
【補正の内容】
【特許請求の範囲】
【請求項１】
底面（９６）に少なくとも一つのフィン（１２）を有するスポーツボード（１０４）であって、
前記底面（９６）内の少なくとも一つの凹部（９２）と、
前記スポーツボード（１０４）の前記凹部（９２）に固定された少なくとも一つの筐体（２０）とを備えており、前記筐体（２０）は少なくとも一つの空洞（４１）を有しており、
前記筐体（２０）内には前記空洞（４１）に連通する少なくとも一つのピンスロット（３８）が横向きに延在しており、
フィン（１２）の基部（４４）から、横向きに延在する少なくとも一つのタグピン（５８）を有する少なくとも一つのタグ（１４）が延在しており、
前記タグ（１４）は前記空洞（４１）内に配置されるとともに、前記タグピン（５８）が前記ピンスロット（３８）内に延在しており、
前記ピンスロット（３８） は、前記タグピン（５８）を前記ピンスロット（３８）に取り外し可能に固定する摩擦係合手段（６０，６２）を有している、
スポーツボード。
【請求項２】
前記ピンスロット（３８）は可撓性の複数のクランプ部（３２，３４）からなり、前記筐体（２０）は前記クランプ部（３２，３４）に力を与える駆動手段（１９）を有する、請求項１記載のスポーツボード（１０４）。
【請求項３】
前記タグ（１４）は、連結手段（４８）を有する前記フィン基部（４４）に対して取り外し可能に連結される、請求項１または２記載のスポーツボード（１０４）。
【請求項４】
前記連結手段（４８）は、前記基部（４４）に連結される少なくとも一本のレール（４８）を含み、前記タグ（１４）は、前記レール（４８）が内部に延在する少なくとも一本のチャンネル（５６）を含む、請求項３記載のスポーツボード（１０４）。
【請求項５】
前記スポーツボードは、底平面を構成する底面（９６）を有しており、前記タグ（１４）は、前記底平面に対して傾斜した頂面（５４）を有している、請求項１〜４のいずれか１項に記載のスポーツボード（１０４）。
【請求項６】
スポーツボード（１０４）と組み合わせるフィン（１２）であって、
底面（４５）およびフィン長手方向軸を有するフィン本体と、
前記底面（４５）に隣接して前記フィン本体に連結される連結手段（４８）と
前記連結手段（４８）に取り付けられる少なくとも一つのタグ（１４）と、を備えており、
前記連結手段（４８）は前記フィン長手方向軸と実質的に平行をなす長手方向軸を有し、
前記連結手段（４８）は、少なくとも一本のレール（４８）が連結された前記底面から下方に張り出す少なくとも一つのフランジ（５２）を備えており、前記レール（４８）は前記フランジ（５２）から自由末端部まで延在しており、
前記スポーツボード（１０４）は少なくとも一つの筐体（２０）を有し、前記筐体（２０）は、前記タグ（１４）を前記筐体（２０）に連結するための筐体取付手段（２８）を有しており、
前記タグ（１４）は少なくとも一つのピン（５８）を有しており、前記筐体取付手段（２８）は、前記ピン（５８）が挿入される細長状のスロット（３８）を有する少なくとも一つのクランプ（２８）を有している、
スポーツボード（１０４）と組み合わせるフィン（１２）。
【請求項７】
前記タグ（１４）は、対応する前記フィンの底面（４５）と合わさる頂面（５４）を有する、請求項６記載のフィン。
【請求項８】
前記スロット（３８）は、前記ピン（５８）を前記スロット（３８）内の所定位置に固定するための摩擦係合手段（６０，６２）を含む、請求項６または７記載のフィン（１２）。
【請求項９】
前記筐体（２０）は、前記スロット（３８）内における前記ピン（５８）の位置を表示するための、視認可能な位置決め手段（８２）を含む、請求項６、７または８記載のフィン（１２）。
【請求項１０】
前記フィンの底面（４５）は平坦面とされ、前記頂面（５４）は前記平坦面に対して傾斜されている、請求項７、８または９記載のフィン（１２）。
【請求項１１】
空洞（４１）を形成する側壁（６８）、および前記空洞（４１）の上を覆う頂壁（６６）を有するソケット（１６）と、
前記頂壁（６６）を通り延在するタグスロット（７０）と、
前記空洞（４１）内に延在し、クランプ（２８）が張り出す基部（２２）を有するプラグ（１８）と、を備え、
前記クランプ（２８）は、前記タグスロット（７０）を通して出入り可能なピンスロット（３８）を有している、
フィン（１２）をスポーツボード（１０４）に連結するための筐体（２０）。
【請求項１２】
前記ソケット（１６）に取り付けられた、前記クランプ（２８）に力を与える駆動手段（１９）を含む、請求項１１記載の筐体（２０）。
【請求項１３】
頂面（５４）を定める、対向する第１及び第２の側壁（５３，５５）および対向する端壁を有するタグ本体と、
前記側壁（５３，５５）から外側に突出する少なくとも一つのタグピン（５８）と、を備えた、
フィン（１２）をスポーツボード（１０４）に相互連結するためのタグ（１４）。
【請求項１４】
前記頂面（５４）において延在する少なくとも一つのガイドチャンネル（５６）を含む、請求項１３記載のタグ（１４）。
【請求項１５】
前記ガイドチャンネル（５６）が、前記対向する端壁間に延在しており且つ前記端壁の少なくとも一方に開口している。請求項１４記載のタグ（１４）。
【請求項１６】
スポーツボード（１０４）の筐体（２０）に対して取り外し可能に固定されるタグ（１４）に連結されるフィン（１２）であって、
フィン（１２）はタグ（１４）の連結構造（４８）を有し、
前記タグ（１４）は、前記タグ連結構造（４８）に係合される取付手段（５６）を有し、
前記タグ（１４）は、前記タグ（１４）を前記筐体（２０）に連結するための筐体取付手段（５８）を有し、
前記スポーツボード（１０４）は底面（９６）を有し、前記タグ（１４）は、前記フィン（１２）を前記底面（９６）に対して角度付けるための傾斜手段（７８ａ，  ７８ｂ）を有し、かつ
前記筐体（２０）は軸スロット（３８）を有し、前記筐体取付手段（５８）は前記軸スロット（３８）内に延在する少なくとも一つのタグピン（５８）を含む、
フィン（１２）。
【請求項１７】
前記フィン（１２）は底面（４５）を有しており、前記タグ（１４）は頂面（５４）を有しており、前記傾斜手段（７８ａ，  ７８ｂ）は前記底面（４５）および（５４）頂面のいずれか一方または両方の傾斜を含む、請求項１６記載のフィン。
【請求項１８】
前記軸スロット（３８）は細長状をなしており、かつ前記タグピン（５８）を前記スロット（３８）内における選択した位置に固定するための摩擦係合手段（６０，６２）を有している、請求項１６または１７記載のフィン。
【請求項１９】
前記軸スロット（３８）は内面を有しており、前記摩擦係合手段（６０，６２）は、前記内面における相隔たる所定位置にノッチ（６０，６２）を有する、請求項１８記載のフィン。
【請求項２０】
前記軸スロット（３８）は可撓性の上側クランプ部（３２）及び下側クランプ部（３４）を有し、前記筐体（２０）は、前駆上側クランプ部（３２）を前記下側クランプ部（３４）に向かって撓ませる駆動手段（１９）を有する、請求項１８または１９記載のフィン。
【請求項２１】
フィン（１２）及びスポーツボード（１０４）からなり、フィン（１２）はフィン基部（４４）を有しているアセンブリであって、
前記フィン基部（４４）に連結された少なくとも一つのタグ（１４）と、
前記タグ（１４）から突出する少なくとも一つのタグピン（５８）と、
前記スポーツボード（１０４）に固定された少なくとも一つのソケット（１６）と、を備えており、
前記ソケット（１６）は空洞（４１）および頂壁（６６）を有しており、
前記頂壁（６６）を通じて前記空洞（４１）に連通するように延在する少なくとも一つのタグスロット（７０）と、
前記ソケット空洞（４１）内に延在するプラグ（１８）とを備えており、
前記プラグ（１８）は、前記タグスロット（７０）に連通する少なくとも一つのピンスロット（３８）を有しており、
前記タグピン（５６）が前記ピンスロット（３８）内に延在するように、前記タグ（１４）が前記ソケット空洞（４１）内に位置している、
アセンブリ。
【請求項２２】
前記スポーツボード（１０４）は、凹部（９２）が延在する底面（９６）を有しており、前記ソケット（１６）およびプラグ（１８）は前記スポーツボード（１０４）の凹部（９２）内に固定されている、請求項２１記載のアセンブリ。
【請求項２３】
前記スポーツボード（１０４）はコア（１０２）及び側端を有しており、前記スポーツボード（１０４）は、前記側端から前記コア（１０２）を通じて前記凹部（９２）内へ延在する少なくとも一つの横断孔（９４）を有している、請求項２１または２２記載のアセンブリ。
【請求項２４】
前記頂壁（６６）は複数の直立した表示ペグ（８０）を含んでいる、請求項２１〜２３のいずれか１項に記載のアセンブリ。
【請求項２５】
前記ピンスロット（３８）は、可撓性の上側クランプ部（３２）および下側クランプ部（３４）により構成され、前記ソケット（１６）は、少なくとも前記上側クランプ部（３２）を撓ませるための力を与える駆動手段（１９）を有している、請求項２１〜２４のいずれか１項に記載のアセンブリ。
【請求項２６】
前記ピンスロット（３８）は、前記タグピン（５８）を前記上側クランプ部（３２）及び下側クランプ部（３４）間に開放可能に固定する摩擦係合手段（６０，６２）を有している、請求項２５記載のアセンブリ。
【請求項２７】
前記ピンスロット（３８）は内面を有しており、前記摩擦係合手段（６０，６２）は前記内面に形成されるとともに、ノッチ、リブ、セレーション、くぼみ、凸部または粗面からなる、請求項２６記載のアセンブリ。
【請求項２８】
前記摩擦係合手段（６０，６２）は所定のタグピン（５８）位置に備え付けられており、前記頂壁（６６）は、各所定のタグピン（５８）位置の上に一つずつ位置する複数の指形位置表示部材（８２）を含んでいる、請求項２６または２７記載のアセンブリ。
【請求項２９】
前記フィン（１２）は、前記タグ（１４）を前記フィン基部（４４）に対して取り外し可能に連結する少なくとも一つのフィン連結手段（４８）を有している、請求項２１〜２８のいずれか１項に記載のアセンブリ。
【請求項３０】
前記フィン連結手段（４８）は、前記フィン基部（４４）に少なくとも一本のレール（４８）を相互連結する少なくとも一つのフランジ（５）を含む、請求項２９記載のアセンブリ。
【請求項３１】
前記タグ（１４）は、少なくとも一本のチャンネル（５６）が延在する頂面（５４）を有しており、前記レール（４８）が前記チャンネル（５６）内へスライド可能なようになっている、請求項３０記載のアセンブリ。
【請求項３２】
前記スポーツボード（１０４）は、底平面を構成する底面（９６）を有しており、前記頂面（５４）は前記底平面に対して傾斜している、請求項３１記載のアセンブリ。
【請求項３３】
底面（９６）を有するスポーツボード（１０４）に対するフィン（１２）の取付方法であって、
（Ａ）  空洞（４１）と、前記空洞（４１）に連通するピンスロット（３８）を有する前記空洞（４１）内のクランプ（２８）とを有する、筐体（２０）を用意するステップと、
（Ｂ）  前記底面（９６）に凹部（９２）を形成するステップと、
（Ｃ）  前記凹部（９２）に流体が通じるように連通する少なくとも一つの孔（９４）を前記スポーツボード（１０４）に形成し、前記孔（９４）内及び前記筐体２０により囲まれた凹部空間内に樹脂化合物（９８）を注入し、前記樹脂（９８）を硬化させることによって、前記凹部（９２）内に前記筐体（２０）を固定するステップであって、前記筐体（２０）は複数の表示ペグ（８０）と樹脂バリヤー（７６）が延在する頂壁（６６）を有しており、かつ前記頂壁（６６）が前記底面（９６）と同一面をなすまで前記表示ペグ（８０）および前記樹脂バリヤー（７６）を除去するステップをさらに含むステップと、
（Ｄ）  外側に突出するタグピン（５８）を有するタグ（１４）を用意するステップと、
（Ｅ）  前記タグ（１４）を前記フィン（１２）に取り付けるステップと、
（Ｆ）  前記タグピン（５８）が前記ピンスロット（３８）内に延在するように、前記タグ（１４）を前記空洞（４１）内に挿入するステップと、
（Ｇ）  前記タグピン（５８）を前記ピンスロット（３８）内に固定するために、前記クランプ（２８）に力を作用させるステップと、
を含む取付方法。
【請求項３４】
前記フィン（１２）はレール（４８）を有し、前記タグ（１４）はチャンネル（５６）を有し、ステップ（Ｄ）は前記ガイドレール（４８）を前記ガイドチャンネル（５６）内に挿入するステップを含む、請求項３３記載の方法。
【国際調査報告】
2005526664.tif 000016
2005526664.tif 000017
2005526664.tif 000018